(57)【要約】【課題】映像配信サービスシステムに関し、外出先から自宅の放送録画装置の録画内容を再生視聴可能とする。【解決手段】テレビ放送を録画し、且つ再生送信する機能を含む自宅の放送録画装置１と、この放送録画装置１の所有者の加入者情報を登録し、認証要求時に認証処理を行う加入者認証サーバ５と、電子番組表を配信するＥＰＧ配信サーバ４と、放送録画装置１と加入者認証サーバ５とＥＰＧ配信サーバ４とを接続するインターネット３に接続した表示端末装置２とを含み、表示端末装置２から加入者認証サーバ５に対して認証要求を行い、認証が得られた時に加入者情報をＥＰＧ配信サーバ４に転送し、ＥＰＧ配信サーバ４は表示端末装置２に電子番組表を配信し、表示端末装置２からの視聴範囲要求情報に従ってＥＰＧ配信サーバ４は、放送録画装置１に対して録画内容を再生して表示端末装置２に送信指示を行う機能を備えている。【選択図】図１
2008219691.tif 000002
【特許請求の範囲】
【請求項１】
テレビ放送を録画し、且つ録画内容を再生して送信する機能を含む放送録画装置と、
該放送録画装置の所有者をサービス加入者として該加入者の情報を登録し、認証要求時に登録された加入者情報を基に認証処理を行う加入者認証サーバと、
サービス加入者に電子番組表を配信するＥＰＧ配信サーバと、
前記放送録画装置と前記加入者認証サーバと前記ＥＰＧ配信サーバとを接続するインターネットに対して接続した表示端末装置とを含み、
該表示端末装置から前記加入者認証サーバに対して認証要求を行い、認証が得られた時に加入者情報を前記ＥＰＧ配信サーバに転送し、該ＥＰＧ配信サーバから前記表示端末装置に電子番組表を配信し、前記表示端末装置からの視聴範囲要求情報に従って前記ＥＰＧ配信サーバは、前記放送録画装置の録画内容を前記表示端末装置に再生送信指示を行う機能を備えた
ことを特徴とする映像配信サービスシステム。
【請求項２】
前記ＥＰＧ配信サーバは、前記加入者認証サーバにより認証が得られた表示端末装置に対して、電子番組表とメタデータとを配信する構成を備えたことを特徴とする請求項１記載の映像配信サービスシステム。
【発明の詳細な説明】
【技術分野】
【０００１】
本発明は、テレビ放送内容を録画し、所望の録画内容を再生して、自宅又は外出先に於いてネットワークを介して再生視聴可能とする映像配信サービスシステムに関する。
【背景技術】
【０００２】
テレビ放送内容を録画して随時再生表示する手段は、既に各種提案され、且つ実用化されている。又録画装置も各種の記録媒体を用いて大容量化が進められている。又予め設定した時間にテレビ放送内容を録画する手段に於いて、放送番組関連情報を、インターネットを介して配信するサービスシステムが提案されている（例えば、特許文献１参照）。又音声認識手段を備えることにより、自宅以外の場所から自宅に連絡して、録画装置の録画予約設定を音声によって行うシステムが提案されている（例えば、特許文献２参照）。又電子メールによって自宅の録画装置の録画予約を行うシステムも提案されている（例えば、特許文献３参照）。又放送コンテンツを編集し、対応するメタデータを生成して保持するメタデータ配信サーバに、インターネットを介してアクセスし、受信したメタデータを基に必要とする録画内容のみを再生可能としたサービスも提案されている（例えば、特許文献４参照）。
【０００３】
又携帯電話機等の端末から映像配信サーバにインターネットを介してアクセスし、映像配信サービスを受けている途中に、着信等により、映像配信サービスを一時中断する場合、映像配信サーバで判断し、サービス中断の間は、蓄積モードに切り替えて映像蓄積を行う映像配信サービスも知られている（例えば、特許文献５参照）。又インターネット等を介して、サービス加入者へ映像配信サーバから例えば蓄積している映像の配信サービスを行うサービスシステムも知られている（例えば、特許文献６参照）。
【特許文献１】特開平１０−１５５１３１号公報
【特許文献２】特開２００２−１１８６６６号公報
【特許文献３】特開２００２−１１８８０５号公報
【特許文献４】特開２００３−１８５１８号公報
【特許文献５】特開２００５−３４８０７３号公報
【特許文献６】特開２００７−００６４２５号公報
【発明の開示】
【発明が解決しようとする課題】
【０００４】
テレビ放送内容は多様多種のものであり、又録画装置は、複数の放送局の放送内容を１週間程度は充分録画できる記録容量の機種が市販されている。従って、録画内容を選択して再生する場合、過去の放送番組表だけを参照しても、再生表示してみなければ、所望の内容か否かが判らないのが実情である。その為に、例えば、前述の特許文献４に示されているような放送内容の要点等を示すメタデータを利用することが考えられる。又従来、自宅の録画装置の録画予約設定を、自宅に於いてのみでなく、出張先等から行うことが、例えば、前述の特許文献２，３にも示されているが、その録画内容を、自宅に於いて再生表示するだけでなく、出張先等の自宅以外の場所から、録画装置に録画した内容を再生し、ネットワークを介して視聴する要望には対応していない。又インターネットを介して映像配信サービスを行う従来のサービスは、例えば、前述の特許文献６に示されているように、映像配信サーバから配信するものであり、自宅に於いて録画した内容を再生して配信するものではない。
【０００５】
本発明は、自宅の録画装置に録画した内容を、自宅に於いて選択再生表示するのみでなく、出張先等の自宅以外の場所から所望の録画範囲を指定して再生し、ネットワークを介して、自宅以外の場所に対する配信を可能とすることを目的とする。
【課題を解決するための手段】
【０００６】
本発明の映像配信サービスシステムは、テレビ放送を録画し、且つ録画内容を再生して送信する機能を含む放送録画装置と、この放送録画装置の所有者をサービス加入者として該加入者の情報を登録し、認証要求時に登録された加入者情報を基に認証処理を行う加入者認証サーバと、サービス加入者に電子番組表を配信するＥＰＧ配信サーバと、放送録画装置と加入者認証サーバとＥＰＧ配信サーバとを接続するインターネットに対して接続した表示端末装置とを含み、この表示端末装置から加入者認証サーバに対して認証要求を行い、認証が得られた時に加入者情報をＥＰＧ配信サーバに転送し、このＥＰＧ配信サーバから表示端末装置に電子番組表を配信し、表示端末装置からの視聴範囲要求情報に従ってＥＰＧ配信サーバは、放送録画装置に対して録画内容を再生して表示端末装置に送信指示を行う機能を備えている。
【０００７】
又ＥＰＧ配信サーバは、加入者認証サーバにより認証が得られた表示端末装置に対して、電子番組表とメタデータとを配信する構成を備えることができる。
【発明の効果】
【０００８】
外出先に於いて、インターネットに接続したパソコンや携帯電話機等の表示端末装置により、自宅の放送録画装置に録画した内容を、ＥＰＧ配信サーバから配信された電子番組表やメタデータを参照して、所望の視聴範囲を指定し、再生させた録画内容を、インターネットを介して、自宅以外の場所で視聴することが可能となる。
【発明を実施するための最良の形態】
【０００９】
本発明の映像配信サービスシステムは、図１を参照すると、テレビ放送を録画し、且つ録画内容を再生して送信する機能を含む自宅の放送録画装置１と、この放送録画装置１の所有者をサービス加入者として加入者情報を登録し、認証要求時に登録された加入者情報を基に認証処理を行う加入者認証サーバ５と、サービス加入者に電子番組表を配信するＥＰＧ配信サーバ４と、放送録画装置１と加入者認証サーバ５とＥＰＧ配信サーバ４とを接続するインターネット３に対して接続した外出先の表示端末装置２とを含み、この表示端末装置２から加入者認証サーバ５に対して認証要求を行い、認証が得られた時に加入者情報をＥＰＧ配信サーバ４に転送し、このＥＰＧ配信サーバ４から外出先の表示端末装置２に電子番組表を配信し、表示端末装置２からの視聴範囲要求情報に従ってＥＰＧ配信サーバ４は、自宅の放送録画装置１に対して録画内容を再生して表示端末装置２に送信指示を行う機能を備えている。
【実施例１】
【００１０】
図１は、本発明の実施例１の説明図であり、１は自宅に設置した放送録画装置、２は画像表示機能を有するパソコン、携帯電話機、携帯端末等の表示端末装置、３はインターネット、４はＥＰＧ（Ｅｌｅｃｔｒｏｎｉｃ  Ｐｒｏｇｒａｍ  Ｇｕｉｄｅ）配信サーバ、５は加入者認証サーバ、６は課金サーバを示す。放送録画装置１は、ハードディスク装置等の既に知られている各種の記録媒体を適用できるものであり、且つインターネット３に対する接続手段を含む構成を有するものである。又表示端末装置２は、外出先に於いて、インターネット３を介して、自宅の放送録画装置１との間を接続可能とし、ＥＰＧ配信サーバ４からの指示により、放送録画装置１の録画内容を再生して、インターネット３を介して受信表示する構成を有するものである。
【００１１】
又ＥＰＧ配信サーバ４は、各放送局の電子番組表を、インターネット３を介してサービス加入者に配信する機能を有し、且つメタデータを作成して配信する機能を有するものである。又加入者認証サーバ５は、サービス加入時に、加入者情報を登録し、表示端末装置２からの映像配信サービス要求時に、加入者認証処理を行い、認証が得られた時に、ＥＰＧ配信サーバ４へのアクセスが許容される。又課金サーバ６は、映像配信サービス加入者に対する課金処理を行う。
【００１２】
映像配信サービスに加入し、自宅の放送録画装置１は、インターネット３に対する接続手段を含み、この放送録画装置１を使用する映像配信サービスに加入している場合、外出先の表示端末装置２からの要求により、自宅の放送録画装置１の録画内容を視聴するまでの概略手順を（１）〜（７）により示すもので、先ず、外出先の表示端末装置２からインターネット３を介して加入者認証サーバ５にアクセスして、認証要求を行う（１）。加入者認証サーバ５は、例えば、映像配信サービス加入者の自宅の放送録画装置１のアドレスと識別番号や暗証番号を含む加入者情報を登録しておくもので、認証要求時に入力された加入者情報を基に認証処理を実行し、認証が得られると、加入者認証サーバ５からＥＰＧ配信サーバ４に加入者情報を通知する（２）。この場合の加入者情報に外出先の表示端末装置２のアドレスを含ませることができる。それにより、ＥＰＧ配信サーバ４は、外出先の表示端末装置２に電子番組表を配信する（３）。この場合、メタデータを含ませることができる。又ＥＰＧ配信サーバ４は、加入者情報により、自宅の放送録画装置１を特定する（４）。
【００１３】
外出先の表示端末装置２は、ＥＰＧ配信サーバ４から配信された電子番組表及びメタデータを表示し、その表示内容を基に、所望の番組や視聴要求範囲等を選択してＥＰＧ配信サーバ４に通知する（５）。ＥＰＧ配信サーバ４は、放送録画装置１に対して時刻情報を含む録画内容についての視聴開始時刻と終了時刻と、再生視聴要求の表示端末装置２のアドレスとを通知する（６）。それにより、要求された録画内容を再生し、インターネット３を介して表示端末装置２へ配信する（７）。この場合、表示端末装置２の表示部の大きさがテレビ受像機の表示部に比較して小さい例えばＱＶＧＡ（Ｑｕａｒｔｅｒ  Ｖｉｄｅｏ  Ｇｒａｐｈｉｃｓ  Ａｒｒａｙ；３２０×２４０画素）の場合、録画内容の再生要求と共に、表示可能の画素数等の情報を通知し、その通知に従って、既に知られている画素変換処理を行って配信することも可能である。又課金サーバ６は、映像配信サービス加入時に課金するか、外出先等から加入者認証サーバ５に対して認証要求を行った時に課金する等の各種の課金方法を適用することができる。
【００１４】
図２は、放送録画装置のブロック図であり、図１に於ける自宅の放送録画装置１の概要を示し、１１はＴＶ受信部、１２は映像記憶部、１３は表示部、１４はＥＰＧ記憶部、１５は操作入力部、１６は制御部、１７は録画再生部、１８は映像エンコーダ、１９は映像デコーダ、２０は送受信部、２１は時計部、２２は電源部を示す。ＴＶ受信部１１は、放送チャネル選択受信機能又は同時全放送チャネル受信機能を含み、受信映像信号は、表示部１３に表示するか、又はハードディスク装置やＤＶＤ装置等からなる映像記憶部１２に、映像エンコーダ１９によりＭＰＥＧ２やＨ．２４６等を適用して圧縮符号化して記録する。その時に時刻情報も記録する。
【００１５】
又ＥＰＧ記憶部１４は、ＥＰＧ配信サーバ４（図１参照）から映像配信サービス加入者に毎日又は複数日分まとめて配信された電子番組表を記憶しておくものであり、又ＥＰＧメタデータの配信を要求することにより、放送時刻と放送内容の要約等を示すメタデータの配信内容を記憶しておくことができる。又制御部１６は、操作入力部１５による操作入力内容や送受信部２０による受信制御情報等により、各部を制御する機能を有するものである。又録画再生部１７は、映像記憶部１２に記録した映像の再生制御を行う機能を有するものであり、映像エンコーダ１８により圧縮符号化して映像記憶部１２に記録した内容を再生する場合、映像デコーダ１９により復号化して表示部１３に表示する。又送受信部２０は、インターネット２（図１参照）等と接続して送受信処理を行う機能を有し、映像記憶部１２の記録内容を再生した場合、インターネット２を介して表示端末装置２（図１参照）へ送信する機能を含むものである。又時計部２１は、時刻情報を出力し、例えば、映像記録部１２に受信映像を記録する時の時刻情報も記録し、又制御部１６による各部の制御や監視を行う場合の時刻情報を提供可能とするものである。又電源部２２は、各部の動作電力をそれぞれ分配供給するものである。
【００１６】
図３は、本発明の実施例１のシーケンスチャートを示し、図１に於ける外出先の表示端末装置２と加入者認証サーバ５とＥＰＧ配信サーバ４と自宅の放送録画装置１とについて示し、放送録画装置１は、ＥＰＧ配信サーバ４に対して時刻の確認、それに対する応答を受信して、放送録画装置１とＥＰＧ配信サーバ４との間で時刻の同期化を図る。又外出先に於いて、加入者認証サーバ５に対して認証要求を行う。加入者認証サーバ５には前述のように加入者識別情報と暗証番号と共に、加入者アドレスを含めて登録しておくものであり、外出先の表示端末装置２から、加入者識別情報と暗証番号と現在の表示端末装置２のアドレスとを含めて入力する。加入者認証サーバ５は、表示端末装置２から入力した加入者識別情報と暗証番号と、既に登録されている加入者識別情報と暗証番号とを照合し、照合一致により本人確認が得られると、加入者認証サーバ５は、ＥＰＧ配信サーバ４に対して、表示端末装置２のアドレスを通知すると共に、映像配信サービス加入者の自宅の放送録画装置２を特定するアドレスを通知する。
【００１７】
ＥＰＧ配信サーバ４は、ＥＰＧデータとして示すように、保存している過去の例えば１週間分等の電子番組表を表示端末装置２に通知する。この場合、メタデータを含めて配信することもできる。又表示端末装置２から、過去の日時の範囲指定を行うことも可能であり、ＥＰＧ配信サーバ４は、要求に従った電子番組表を送信することになる。又ＥＰＧ配信サーバ４は、放送録画装置１を特定して、録画の再生可能状態か否かを確認し、表示端末装置２へ通知する。表示端末装置２は、ＥＰＧ配信サーバ４から配信された電子番組表及びメタデータを参照して、ハイライト部分や番組全体を選択した視聴選択情報をＥＰＧ配信サーバ４へ通知する。ＥＰＧ配信サーバ４は、放送録画装置１に対して、表示端末装置２のアドレスを含む視聴選択情報を送信する。放送録画装置１は、視聴選択情報に基づいて再生を開始して、通知されたアドレスの表示端末装置２へ再生内容を配信する。又ＥＰＧ配信サーバ４は、視聴情報を基に統計をとり、映像配信サービス加入者が選択する放送内容のランキング化を行うことができる。この統計結果についても、映像配信サービス加入者に提供可能とするものである。
【００１８】
図４は、ＥＰＧメタデータの説明図であり、（Ａ）はテレビ放送局対応の電子番組表とハイライト内容を示すメタデータとを含む場合を示し、又（Ｂ）は、視聴率を示すランキング情報であり、ＥＰＧ配信サーバ４から（Ａ）に示すようなメタデータを含む電子番組表と共に、（Ｂ）に示すランキング情報を配信することができる。メタデータの作成については既に各種の手段が提案されている。又ランキング情報についても、既に各種のインターネットのサービスとして知られている。
【図面の簡単な説明】
【００１９】
【図１】本発明の実施例１の説明図である。
【図２】放送録画装置のブロック図である。
【図３】本発明の実施例１のシーケンスチャートである。
【図４】ＥＰＧメタデータの説明図である。
【符号の説明】
【００２０】
１  放送録画装置
２  表示端末装置
３  インターネット
４  ＥＰＧ配信サーバ
５  加入者認証サーバ
６  課金サーバ
１１  ＴＶ受信部
１２  映像記憶部
１３  表示部
１４  ＥＰＧ記憶部
１５  操作入力部
１６  制御部
１７  録画再生部
１８  映像エンコーダ
１９  映像デコーダ
２０  送受信部
２１  時計部
２２  電源部
【図１】
2008219691.tif 000003
【図２】
2008219691.tif 000004
【図３】
2008219691.tif 000005
【図４】
2008219691.tif 000006